(57)【特許請求の範囲】
【請求項１】
着用者の前後方向に対応する縦方向とこれに直交する横方向とを有し、高吸収性ポリマーを含む吸収体と、該吸収体の肌対向面側に配され着用時に着用者の肌と接触し得る表面シートとを構成部材として具備する生理用吸収性物品であって、
前記吸収性物品の構成部材に、血球凝集剤を含有する血球凝集剤含有部材が含まれ、
前記血球凝集剤含有部材が前記吸収体であり、該吸収体の肌対向面側表層部に、血球凝集剤が偏在し且つ縦方向に延びる吸収体スリットが形成されており、
前記吸収体にトリアシルグリセロールが含有され、該吸収体の肌対向面側表層部において、該トリアシルグリセロールの方が血球凝集剤よりも単位面積当たりの含有量が多い生理用吸収性物品。
【請求項２】
前記吸収体スリットは、相対的に着用者の肌に近い部位の方が、相対的に着用者の肌から遠い部位に比して幅が広い請求項１に記載の生理用吸収性物品。
【請求項３】
前記吸収体は、着用時に着用者の排泄部に対向配置される中央吸収性シートと、該中央吸収性シートに重ねられ、該中央吸収性シートの周縁の少なくとも一部から外方に延出する部分を有する本体吸収性シートとを含んで構成される積層構造を有し、
前記吸収体スリットは、前記積層構造の少なくとも１層を厚み方向に貫通している請求項１又は２に記載の生理用吸収性物品。
【請求項４】
前記表面シートに、該表面シートを厚み方向に貫通して縦方向に延びる表面材スリットが形成されている請求項１〜３の何れか１項に記載の生理用吸収性物品。
【請求項５】
前記表面シートと前記吸収体との間に、血球凝集剤を含有しない液透過性のセカンドシートが配されており、該セカンドシートに前記トリアシルグリセロールが含有されている請求項１〜４の何れか１項に記載の生理用吸収性物品。
【発明の詳細な説明】
【技術分野】
【０００１】
本発明は、経血の吸収に用いられる生理用吸収性物品に関する。
【背景技術】
【０００２】
生理用ナプキンなどの月経時に使用される生理用吸収性物品には経血の吸収性能が高く、表面シート上に排泄された経血を速やかに物品内部の吸収体に吸収することが望まれる。しかしながら月経時の経血は、子宮内膜等の成分が含まれることもあって、使い捨ておむつの主たる吸収対象である尿などに比して高粘度であるため吸収され難く、特に粘度の高い経血は吸収されずに表面シート上に残存し、着用者にべたつき感を与えることがある。また、経血吸収後の生理用吸収性物品についての目視で確認し得る状態は、吸収性物品の信頼性、特に漏れにくさに対する安心感などに少なからず影響を及ぼす要素となり得る。例えば、生理用吸収性物品の着用者がその着用後に表面シートを目視したときに、吸収された経血の色が比較的濃く見え、着用者に強い印象を与えるようなものであると、漏れに対する不安感を想起させるおそれがあり、また視覚的に不快感を与えるおそれもある。
【０００３】
経血の吸収性能に関する技術に関し、カチオン性の高分子材料を吸収性物品に適用して、該吸収性物品の経血の吸収性能を向上させる技術が知られている。例えば特許文献１には、血液中の赤血球を塊状にするか、又は溶解する処理剤で処理された多孔性不織ウエブ材料を含む、ナプキンやタンポンなどのパーソナルケア吸収性物品が記載されている。同文献においては、この処理剤として、強く正帯電したポリマーであるポリカチオン材料を用いている。この処理剤は、血液が吸収性物品に入り込むときや通過するときに、血液中の赤血球を凝集又は溶解させる。
【０００４】
また特許文献２には、表面シートから吸収体へ速やかに経血を移行させるために、界面活性作用を有する血液改質剤を表面シートに含有させることが記載されており、該血液改質剤として、ＩＯＢ（Ｉｎｏｒｇａｎｉｃ  Ｏｒｇａｎｉｃ  Ｂａｌａｎｃｅ）、融点、２５℃における水溶解度及び重量平均分子量がそれぞれ特定範囲にあるものが挙げられている。特許文献２記載の吸収性物品によれば、表面シートに粘度の高い経血が残存しにくく、表面シートにべたつき感がなく、着用者が視覚的に不快感を覚えにくいとされている。
【先行技術文献】
【特許文献】
【０００５】
【特許文献１】特表２００２−５２８２３２号公報
【特許文献２】特開２０１３−６３２４５号公報
【発明の概要】
【発明が解決しようとする課題】
【０００６】
特許文献１及び２記載技術は、吸収性物品の経血吸収能の向上に一定の効果はあるが、吸収性物品に要求される経血吸収能は近年益々高まっており、こうした高い要求レベルに十分に応えられないのが実情である。
【０００７】
本発明の課題は、排泄された経血を速やかに吸収することができる生理用吸収性物品を提供することに関する。
【課題を解決するための手段】
【０００８】
本発明は、着用者の前後方向に対応する縦方向とこれに直交する横方向とを有し、高吸
収性ポリマーを含む吸収体と、該吸収体の肌対向面側に配され着用時に着用者の肌と接触し得る表面シートとを構成部材として具備する生理用吸収性物品であって、前記吸収性物品の構成部材に、血球凝集剤を含有する血球凝集剤含有部材が含まれ、前記血球凝集剤含有部材、又は着用時に該血球凝集剤含有部材よりも着用者の肌に近い位置に配され且つ血球凝集剤を含有しない他の構成部材に、トリアシルグリセロールが含有されている生理用吸収性物品を提供するものである。
【発明の効果】
【０００９】
本発明によれば、排泄された経血を速やかに吸収することができる生理用吸収性物品が提供される。
【図面の簡単な説明】
【００１０】
【図１】図１は、本発明の生理用吸収性物品の一実施形態である生理用ナプキンの肌対向面側（表面シート側）を示す平面図である。
【図２】図２は、図１のＩ−Ｉ線断面を模式的に示す断面図である。
【図３】図３は、図１に示す生理用ナプキンにおける表面シートの肌対向面側を模式的に示す斜視図である。
【図４】図４は、本発明の生理用吸収性物品における経血の吸収機構を示す模式図である。
【図５】図５（ａ）及び図５（ｂ）は、従来の生理用吸収性物品における経血の吸収機構を示す模式図である。
【発明を実施するための形態】
【００１１】
以下、本発明の生理用吸収性物品をその好ましい実施形態に基づき図面を参照して説明する。図１及び図２は、本発明の生理用吸収性物品の一実施形態である生理用ナプキン１が示されている。ナプキン１は、図１に示すように、着用者の前後方向に対応する縦方向Ｘとこれに直交する横方向Ｙとを有し、経血を吸収可能な吸収体４と、該吸収体４の肌対向面側に配され着用時に着用者の肌と接触し得る表面シート２とを構成部材として具備する。
【００１２】
本明細書において、「肌対向面」は、生理用吸収性物品又はその構成部材（例えば吸収体４）における、生理用吸収性物品の着用時に着用者の肌側に向けられる面、即ち相対的に着用者の肌に近い側であり、「非肌対向面」は、生理用吸収性物品又はその構成部材における、生理用吸収性物品の着用時に肌側とは反対側、即ち相対的に着用者の肌から遠い側に向けられる面である。尚、ここでいう「着用時」は、通常の適正な着用位置、即ち当該生理用吸収性物品の正しい着用位置が維持された状態を意味し、生理用吸収性物品が該着用位置からずれた状態にある場合は含まない。
【００１３】
ナプキン１は、図１及び図２に示すように、肌対向面を形成する表面シート２、非肌対向面を形成する裏面シート３、及び両シート２，３間に介在された吸収体４を具備する吸収性本体１０を備えている。吸収性本体１０は、着用時に着用者の液排泄部（膣口等）に対向配置される領域である排泄部対向部Ｂと、該排泄部対向部Ｂより着用者の腹側即ち前側に配される前方部Ａと、該排泄部対向部Ｂよりも着用者の背側即ち後側に配される後方部Ｃとを縦方向Ｘに有している。即ち、ナプキン１又は吸収性本体１０は、縦方向Ｘにおいて着用者の腹側から順に、前方部Ａ、排泄部対向部Ｂ及び後方部Ｃの３つの領域に区分される。縦方向Ｘは、ナプキン１及び吸収性本体１０の長手方向に一致し、横方向Ｙは、ナプキン１及び吸収性本体１０の長手方向に直交する幅方向に一致する。
【００１４】
表面シート２は、吸収体４の肌対向面の全域を被覆し、その縦方向Ｘに沿う両側縁は、吸収体４の縦方向Ｘに沿う両側縁と略同位置に存している。一方、裏面シート３は、吸収
体４の非肌対向面の全域を被覆し、さらに吸収体４の縦方向Ｘに沿う両側縁から横方向Ｙの外方に延出して、後述するサイドシート６と共にサイドフラップ部１０Ｓを形成している。裏面シート３とサイドシート６とは、吸収体４の縦方向Ｘに沿う両側縁からの延出部において、接着剤、ヒートシール、超音波シール等の公知の接合手段によって互いに接合されている。また、表面シート２及び裏面シート３は、図１に示すように、吸収体４の縦方向Ｘの両端からの延出部において、公知の接合手段によって互いに接合されている。表面シート２及び裏面シート３それぞれと吸収体４との間は接着剤によって接合されていても良い。
【００１５】
図３には、ナプキン１における、表面シート２の肌対向面の要部が拡大して示されている。表面シート２の肌対向面２ａ（ナプキン１の肌対向面）には、縦方向Ｘ及び横方向Ｙそれぞれに交差する方向（即ち斜め方向）に延びる窪み部２０が斜め格子状に形成されており、窪み部２０によって表面シート２が多数の領域に区画化されて、多数の区画領域２２が形成されている。図３に示す実施形態では、窪み部２０は、表面シート２の全域にわたって形成されている。これに代えて、窪み部２０を、少なくとも排泄部対向部Ｂに形成しても良い。尚、図３中のＸ方向は、表面シート製造時におけるシートの流れ方向に直交する方向（ＣＤ）と同方向であり、ナプキン１の縦方向Ｘ（図１参照）とも同方向である。また、図３中のＹ方向は、表面シート製造時におけるシートの流れ方向（ＭＤ）と同方向であり、ナプキン１の横方向Ｙ（図１参照）とも同方向である。
【００１６】
表面シート２についてさらに説明すると、表面シート２は例えば単層構造又は多層構造の不織布などの繊維シートからなり、親水化剤で処理された不織布からなる表面シートが好ましく使用できる。ナプキン１の表面シート２では、その肌対向面２ａの全域は、図３に示すように、斜め格子状に形成された窪み部２０及び該窪み部２０で囲まれた凸部２１をそれぞれ多数有する凹凸形状を有している。一方、表面シート２の非肌対向面（後述するセカンドシート５との対向面）２ｂは、凹凸形状を実質的に有しておらず、略平坦となっている。
【００１７】
窪み部２０は、繊維シートからなる表面シート２の構成繊維が圧着又は接着されて形成されている。繊維を圧着する手段としては、熱を伴うか又は伴わない圧搾加工、超音波圧搾加工等のエンボス加工等が挙げられる。その結果、表面シート２においては、窪み部２０の密度が凸部２１の密度よりも高くなっている。つまり、窪み部２０は、表面シート２において相対的に密度の高い高密度部であり、凸部２１（区画領域２２）は、表面シート２において相対的に密度の低い低密度部である。このことに起因して、窪み部２０は、表面シート２に外力が加わった場合に、変形の可撓軸として作用しやすくなる。本実施形態に係る表面シート２における窪み部２０は、カード法によって形成した繊維ウエブに熱エンボス加工を施して形成されている。窪み部２０においては、表面シート２又はそれを構成する不織布の構成繊維である熱融着性繊維が熱融着により一体化している。窪み部２０における熱融着性繊維は、熱融着成分が溶融して繊維の形態を維持していない。
【００１８】
本実施形態において、窪み部２０は、表面シート２のみに形成されており、該表面シート２の非肌対向面側に配置されているセカンドシート５及び吸収体４の双方には形成されていない。したがって、表面シート２とセカンドシート５及び吸収体４とは、窪み部２０を介しては接合されていない。
【００１９】
窪み部２０は線状であることが好ましい。ここで、「線状」とは、窪み部２０の形状が平面視において図３に示す如き直線に限られず、曲線を含み、各線は、連続線でも良く、あるいは平面視において長方形、正方形、菱形、円形、十字等の多数の凹部（エンボス部、高密度部）が実質的に間隔を置かずに連なって全体として連続線を形成していても良い。「実質的に間隔を置かずに」とは、凹部の隣り合う間隔が５ｍｍ以内であることを言う
。
【００２０】
窪み部２０は、図３に示すように斜め格子状に形成されている。より具体的には、表面シート２は、窪み部２０として、互いに平行に且つ所定の間隔で形成された多数本の第１線状の窪み部２０ａと、互いに平行に且つ所定の間隔で形成された多数本の第２線状の窪み部２０ｂとを有しており、第１線状の窪み部２０ａと第２線状の窪み部２０ｂとが所定の角度をなして互いに交差している。第１線状の窪み部２０ａ及び第２線状の窪み部２０ｂは、いずれも、縦方向Ｘ及び横方向Ｙそれぞれに交差する方向（即ち斜め方向）に直線状に延びている。第１線状の窪み部２０ａの幅と第２線状の窪み部２０ｂの幅は同じであっても良く、あるいは異なっていても良い。第１線状の窪み部２０ａどうし間の間隔と第２線状の窪み部２０ｂどうし間の間隔も、同じであっても良く、あるいは異なっていても良い。
【００２１】
個々の区画領域２２は、それぞれ周囲を線状の窪み部２０（窪み部２０ａ、２０ｂ）に囲まれた領域であり、本実施形態では平面視において菱形形状である。個々の区画領域２２の面積は、例えば０．２５ｃｍ２以上２ｃｍ２以下であることが好ましい。区画領域２２は、平面視において縦方向Ｘよりも横方向Ｙに長い菱形形状とすることができる。あるいはこの逆に、横方向Ｙよりも縦方向Ｘに長い菱形形状とすることもできる。区画領域２２が、ナプキン１の横方向Ｙに長い形状をしている場合には、窪み部２０が多数形成されている表面シート２が、横方向Ｙに高い剛性を保持するようになり、これによりナプキン１の装着状態におけるヨレや皺が効果的に防止される。ナプキン１の装着状態におけるヨレや皺は、主として、着用者の両大腿部間に挟まれたナプキン１が、該大腿部によって横方向Ｙから押圧されることに起因するところ、表面シート２が横方向Ｙに高い剛性を保持している、即ち区画領域２２が縦方向Ｘに比して横方向Ｙに長い形状を有していると、横方向Ｙから押圧されてもナプキン１の形状が維持されやすく、ヨレや皺が発生し難くなる。
【００２２】
各区画領域２２には、該区画領域２２を囲む窪み部２０に対して相対的に隆起する凸部２１が形成されており、各区画領域２２は肌対向面２ａ側に頂部２１ａを備えた凸形状をなしている。凸部２１の頂部２１ａは、区画領域２２の中央部に位置している。凸部２１は、その内部が表面シート２の構成繊維で満たされており、中実構造を有している。本発明では線状以外の窪み部を排除はしないが、良好な凸部２１の形成という観点からは、線状の窪み部であることが好ましい。
【００２３】
このように、窪み部２０と凸部２１とが、表面シート２の縦方向Ｘ及び横方向Ｙそれぞれにおいて交互に配置されていることで、ナプキン１の着用者の肌との接触面積が低減して蒸れやかぶれが効果的に防止される。また、凸部２１（区画領域２２）が、窪み部２０によって包囲され、平面視において閉じた形状をしていることにより、凸部２１が窪み部２０によって包囲されていない場合に比して、凸部２１における構成繊維が表面シート２の厚み方向に向かって伸張しやすくなるため凸部２１の厚みが増し、これにより、１）液が素早く透過し、且つ、液残りが少なく、表面シート２の肌との接触面積が減少する、２）凸部２１が規則正しいパターンで形成されるため、視覚的な印象が良好となる、等の効果が奏される。
【００２４】
尚、凹凸構造の表面シートとしては前述した構造のものに代えて、中空の凸部を有する凹凸構造の表面シートであっても良い。しかし、経血の吸収という観点からは、前述した、中実の凸部を有する凹凸構造の表面シートであることが好ましい。また、凹凸構造の表面シートの他の一例として、縦方向又は横方向に延在する畝部（凸部）と溝部（凹部）とが、その延在方向と直交する方向に交互に配置されている形態のものが挙げられる。
【００２５】
尚、裏面シート３としては、生理用ナプキン等の吸収性物品に従来使用されている各種のもの等を特に制限なく用いることができ、透湿性の樹脂フィルムや非透湿性の樹脂フィルムを使用できる。
【００２６】
本実施形態においては、吸収性本体１０はセカンドシート５を具備している。具体的には図２に示すように、表面シート２と吸収体４との間に液透過性のセカンドシート５が配されている。セカンドシート５は、本技術分野においてサブレイヤーシートなどとも呼ばれる吸収性物品の構成部材であり、表面シート２から吸収体４への液の透過性の向上、吸収体４に吸収された液の表面シート２への液戻りの低減などの役割を担う。本実施形態においては、セカンドシート５は吸収体４（本体吸収性シート４２）の肌対向面の略全域を被覆している。セカンドシート５としては、親水性不織布や親水性の繊維集合体を用いることができ、不織布としては、エアスルー不織布、ポイントボンド不織布、レジンボンド不織布、スパンレース不織布、エアレイド不織布等が挙げられる。セカンドシート５の坪量は、好ましくは１０ｇ／ｍ2、さらに好ましくは１５ｇ／ｍ2以上、そして、好ましくは５０ｇ／ｍ2以下、さらに好ましくは４０ｇ／ｍ2以下である。また、セカンドシート５の厚みは、好ましくは０．１ｍｍ以上５ｍｍ以下である。尚、セカンドシート５は、その幅（横方向Ｙの長さ）が、吸収体４の幅（横方向Ｙの長さ）よりも短いことが好ましく、縦方向Ｘの長さは、吸収体４の縦方向Ｘの長さよりも長く、ナプキン１の縦方向Ｘの全長にわたって配されていることが好ましい。また、本実施形態においては、セカンドシート５は表面シート２及び／又は吸収体４とはストライプ状又はスパイラル状に設けられた接着剤等によって部分的に接合された接合部を有している。
【００２７】
吸収性本体１０の肌対向面即ち表面シート２の肌対向面における縦方向Ｘに沿う両側部には、平面視において吸収体４の縦方向Ｘに沿う左右両側部に重なるように、一対のサイドシート６，６が吸収性本体１０の縦方向Ｘの略全長にわたって配されている。一対のサイドシート６，６は、それぞれ縦方向Ｘに延びる接合線６１にて、公知の接合手段によって表面シート２に接合されている。
【００２８】
ナプキン１は、吸収性本体１０に加えてさらに、吸収性本体１０における排泄部対向部Ｂの縦方向Ｘに沿う両側部それぞれから横方向Ｙの外方に延出する一対のウイング部１０Ｗ，１０Ｗを有している。
【００２９】
尚、本発明の生理用吸収性物品において、排泄部対向部Ｂは、本実施形態のナプキン１のようにウイング部１０Ｗを有する場合には、吸収性物品の縦方向（吸収性物品の長手方向、図中のＸ方向）においてウイング部１０Ｗを有する領域（一方のウイング部１０Ｗの縦方向Ｘに沿う付け根と他方のウイング部１０Ｗの縦方向Ｘに沿う付け根とに挟まれた領域）を意味する。ウイング部を有しない吸収性物品における排泄部対向部Ｂは、吸収性物品が３つ折りの個装形態に折り畳まれた際に生じる、該吸収性物品を横方向（吸収性物品の幅方向、図中のＹ方向）に横断する２本の折り曲げ線（図示せず）について、該吸収性物品の縦方向Ｘの前端から数えて第１折り曲げ線と第２折り曲げ線とに囲まれた領域を意味する。
【００３０】
サイドフラップ部１０Ｓは、図１に示すように、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。ウイング部１０Ｗは、図１に示す如き平面視において、下底（上底よりも長い辺）が吸収性本体１０の側部側に位置する略台形形状を有しており、その非肌対向面には、ウイング部１０Ｗをショーツ等の着衣に固定するウイング部粘着部（図示せず）が形成されている。ウイング部１０Ｗは、ショーツ等の着衣のクロッチ部の非肌対向面（外面）側に折り返されて用いられる。前記ウイング部粘着部は、その使用前においてはフィルム、不織布、紙等からなる剥離シート（図
示せず）によって被覆される。
【００３１】
吸収体４について説明すると、吸収体４は高吸収性ポリマーを含有する。吸収体４に含有される高吸収性ポリマーとしては、一般に粒子状のものが用いられるが、繊維状のものでも良い。粒子状の高吸収性ポリマーを用いる場合、その形状は球状、塊状、俵状又は不定形のいずれでも良い。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸収体４における高吸収性ポリマーの含有量は、吸収体４の全質量に対して、好ましくは０．５質量％以上、さらに好ましくは５質量％以上、そして、好ましくは６０質量％以下、さらに好ましくは５０質量％以下である。
【００３２】
また、本実施形態における吸収体４は、高吸収性ポリマーに加えてさらに親水性繊維を含有する。吸収体４に含有される親水性繊維としては、疎水性の繊維を親水化処理したものと、それ自体が親水性であるものが挙げられ、これらの１種を単独で又は２種以上を組み合わせて用いることができる。特に、それ自体が親水性で且つ保水性を有するものが好ましい。後者の親水性繊維としては、天然系の繊維、セルロース系の再生繊維又は半合成繊維が好ましい例として挙げられる。親水性繊維としては、特にパルプ、レーヨンが好ましく、パルプが一層好ましい。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いても良い。
【００３３】
本実施形態における吸収体４は、親水性繊維及び高吸収性ポリマーを含有する吸収性シート４１，４２から形成されている。本発明において「吸収性シート」とは、高吸収性ポリマー、親水性繊維等の吸収性材料を含むシート状の吸収構造体を意味し、吸収性材料を積繊してなる積繊体とは区別される。一般に、吸収性シートは、吸収性材料の積繊体に比して厚みが薄く低剛性であるため、吸収性シートを備えた吸収性物品は柔軟で着用感に優れ、またコンパクトに折り畳めてハンドリング性にも優れる。斯かる吸収性シートの特長をより有効に活用し、液拡散性、液保持性を十分に備え装着感の良好な吸収性物品を得る観点から、吸収性シートの１枚あたりの無荷重下における厚みは、好ましくは０．１ｍｍ以上、さらに好ましくは０．３ｍｍ以上、そして、好ましくは２ｍｍ以下、さらに好ましくは１．５ｍｍ以下である。吸収性シートとしては例えば、特許第２９６３６４７号公報、特許第２９５５２２３号公報に記載のものを利用することができる。吸収性シートとして好ましいものを例示すると、湿潤状態の高吸収性ポリマーに生じる粘着力や別に添加した接着剤や接着性繊維等のバインダーを介して、構成繊維間や構成繊維と高吸収性ポリマーとの間を結合させてシート状としたものが挙げられる。
【００３４】
本実施形態における吸収体４は、図１及び図２に示すように、着用時に着用者の排泄部に対向配置される中央吸収性シート４１と、中央吸収性シート４１に重ねられ、図１に示す如き平面視において中央吸収性シート４１の周縁の少なくとも一部から外方に延出する部分４２Ｅを有する本体吸収性シート４２とを含んで構成される積層構造を有し、吸収性材料の積繊体は含んでいない。ここでいう「中央吸収性シートの周縁」とは、中央吸収性シート４１における、生理用吸収性物品たるナプキン１に組み込まれた状態における周縁
を意味し、中央吸収性シート４１が図２に示す如く、折り畳まれた状態でナプキン１に組み込まれている場合は、その折り畳まれた状態での中央吸収性シート４１の周縁を意味する。即ち、図２に示す形態における中央吸収性シート４１は、後述するように、縦方向Ｘに延びる折り曲げ線にて横方向Ｙに折り畳まれているので、該シート４１の周縁は、この折り曲げ線における該シート４１の折り曲げ部からなる縦方向Ｘに延びる両側縁と、該シート４１の横方向Ｙに延びる両端縁とからなる。また、本体吸収性シート４２は、この中央吸収性シート４１の縦方向Ｘに延びる左右両側縁（折り曲げ部）と横方向Ｙに延びる前後両端縁とからなる周縁の少なくとも一部から外方に延出していれば良く、本実施形態のナプキン１においては図１に示すように、中央吸収性シート４１の周縁全体から外方に延出している。
【００３５】
中央吸収性シート４１は、図１に示すように、排泄部対向部Ｂ、あるいは排泄部対向部Ｂ並びに前方部Ａ及び後方部Ｃそれぞれの排泄部対向部Ｂ寄りの部分において、ナプキン１又は吸収性本体１０の横方向Ｙの中央部に配されている。また中央吸収性シート４１は、図２に示すように、該シート４１自体を折り畳んでなる多層構造をなしている。この中央吸収性シート４１の折り畳み多層構造は、１枚の平面視略矩形形状の該シート４１が、該シート４１を横方向Ｙに略三等分する位置を通って縦方向Ｘに延びる２本の折り曲げ線にて同一面側（肌対向面側）に折り曲げられて、いわゆる巻き三つ折り状態に形成されたものであり、該シート４１の３層構造を有している。
【００３６】
また、本体吸収性シート４２も、該シート４２自体を折り畳んでなる多層構造をなしている。この本体吸収性シート４２の折り畳み多層構造は、１枚の平面視略矩形形状の該シート４２が、縦方向Ｘに延びる２本の折り曲げ線にて同一面側（非肌対向面側）に折り曲げられ、且つ該シート４１の縦方向Ｘに沿う両端縁どうしが横方向Ｙの中央部で重ね合わされて形成されたものであり、その両端縁の重ね合わせ部は該シート４２の３層構造、該重ね合わせ部以外の部分は該シート４２の２層構造を有している。本体吸収性シート４２の折り畳み多層構造は、吸収体４の外形を形成している。
【００３７】
本実施形態における吸収体４は、このような１枚の本体吸収性シート４２の折り畳み構造の内部に、１枚の中央吸収性シート４１の折り畳み構造が内包された構成を有し、この中央吸収性シート４１の折り畳み構造が配された部位、即ち、排泄部対向部Ｂの横方向Ｙの中央部は、周辺部に比して厚みの厚い、いわゆる中高部となっている。
【００３８】
本発明の生理用吸収性物品の主たる特徴の１つとして、吸収性物品の構成部材に、血球凝集剤を含有する血球凝集剤含有部材が含まれ、且つ、該血球凝集剤含有部材、又は着用時に該血球凝集剤含有部材よりも着用者の肌に近い位置に配され且つ血球凝集剤を含有しない他の構成部材に、トリアシルグリセロールが含有されている点が挙げられる。つまり、本発明の生理用吸収性物品には、（Ａ）血球凝集剤及びトリアシルグリセロールの双方を含有する構成部材を具備する形態、並びに（Ｂ）着用者の肌から近い順に、トリアシルグリセロールを含有する構成部材と、血球凝集剤を含有する構成部材とを具備する形態が含まれる。
【００３９】
一般に、高吸収性ポリマーによる水分の吸収速度や吸収量は、水分の種類によって異なり、生理食塩水と血液とを比較すると、生理食塩水よりも血液の方が吸収速度が遅く、また吸収量も少ない。この理由は以下の理由による。血液は血漿等の液体成分と赤血球等の非液体成分に大別されるところ、高吸収性ポリマーに吸収される成分は血漿等の液体成分である。図５（ａ）に示す通り、経血１１が高吸収性ポリマー１４に接触すると、経血１１中の液体成分１２のみが高吸収性ポリマー１４に吸収され、非液体成分１３である赤血球は高吸収性ポリマー１４に吸収されない。高吸収性ポリマー１４への液体成分１２の吸収が進行すると、図５（ｂ）に示す通り、高吸収性ポリマー１４に吸収されない非液体成
分１３が、高吸収性ポリマー１４の表面に蓄積して被膜１５を形成する。この被膜１５の形成に起因して、高吸収性ポリマー１４の液吸収阻害が生じ、吸収速度が低下する。また被膜１５の形成に起因して、高吸収性ポリマー１４の膨潤阻害も生じ、吸収量が低下する。
【００４０】
図５（ｂ）に示す通りの現象が生じることを防止して、吸収性能の低下を阻止するための手段について本発明者が種々検討した結果、経血中の非液体成分の大半を占める成分である赤血球を、図４に示す通り凝集させて凝集塊１６を生成させることが効果的であることが判明した。赤血球の凝集塊１６を生成させることで、凝集塊１６の被膜が生成しづらくなり、又は、凝集塊１６によって図５（ｂ）に示す如き被膜１５が生成したとしても、その被膜１５内に液体成分１２が透過できる空間が残存するため、液体成分１２の吸収阻害が起こりづらくなる。その結果、高吸収性ポリマー１４は、吸収性能を十分に発揮することができる。ここで、吸収性能は、吸収量及び吸収速度を尺度として表される。吸収量は、吸収前の高吸収性ポリマー１４の体積と、吸収後の高吸収性ポリマー１４の体積との比、つまり後述する体積膨潤倍率として表すことができる。また、吸収速度は、高吸収性ポリマー１４の体積膨潤倍率の経時における傾きとして表すことができる。
【００４１】
そして、本発明の生理用吸収性物品において、経血中に赤血球の凝集塊を生成させる役割を果たすのが血球凝集剤である。本発明者の知見によれば、血球凝集剤としてはカチオン性ポリマーが有用であり、その理由は次の通りである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。さらに、凝集剤が官能基を有している場合には、該官能基間の相互作用によっても赤血球の凝集が促進されるので好ましい。血球凝集剤（カチオン性ポリマー）によれば、以上の作用機序によって経血中に赤血球の凝集塊を生成することが可能になる。
【００４２】
一方、本発明の生理用吸収性物品において血球凝集剤と併用されるトリアシルグリセロールは、本発明者の知見によれば、経血の分散性、特に、高吸収性ポリマーに吸収されない経血中の赤血球等の非液体成分の分散性を高める機能を有する。従って、生理用吸収性物品において血球凝集剤とトリアシルグリセロールとを併用することで、主として血球凝集剤の作用により、経血が血漿等の液体成分と赤血球等の非液体成分とに分離されると共に、主としてトリアシルグリセロールの作用により、経血特に経血中の非液体成分（高吸収性ポリマー非吸収成分）の分散性が向上し、このような経血の他成分への分離・分散作用の発現により、経血の吸収性能が向上し、排泄された経血を速やかに吸収することが可能となる。
【００４３】
特に、血球凝集剤及びトリアシルグリセロールが前記（Ａ）の形態で含有されている場合、即ち吸収性物品の一構成部材（例えば吸収体４）に血球凝集剤及びトリアシルグリセロールの双方が含有されている場合において、斯かる血球凝集剤含有部材に経血が接触すると、該部材において、血球凝集剤による経血の血漿等の液体成分と赤血球等の非液体成分とへの分離作用と、トリアシルグリセロールによる該非液体成分の分散作用が略同時に起こると推察される。
【００４４】
また、血球凝集剤及びトリアシルグリセロールが前記（Ｂ）の形態で含有されている場合、即ち血球凝集剤を含有せずにトリアシルグリセロールを含有する構成部材（例えば表面シート２又はセカンドシート５）の非肌対向面側に、前記血球凝集剤含有部材（例えば吸収体４）が配置されている場合においては、まず、トリアシルグリセロールを含有する構成部材に経血が接触し、その際に血液の面方向への拡散が促進されつつ、前記血球凝集剤含有部材よりも非肌対向面側に位置する構成部材へと経血が移行する。次いで前記血球凝集剤含有部材では、その経血が前記血球凝集剤含有部材と広範囲で接触することとなり、前記血球凝集剤含有部材の有効活用に繋がる。そして、前記血球凝集剤含有部材の広い範囲で生じる血球凝集剤の作用により、血漿等の液体成分と赤血球等の非液体成分との分離・分散が促進され、結果として経血の吸収性能の向上に繋がると考えられる。
【００４５】
また、血漿等の液体成分と赤血球等の非液体成分とでは流動性が異なり、前者の方が流動性が高いため、血球凝集剤及びトリアシルグリセロールの作用によって経血が液体成分と非液体成分とに分離・分散されると、流動性の高い該液体成分は、流動性の低い該非液体成分に優先して、生理用吸収性物品を厚み方向に透過すると共に面方向に拡散される。これにより、本発明の生理用吸収性物品における経血の吸収部は、肌対向面側（例えば表面シート２側）の方が非肌対向面側（例えば裏面シート３側）に比して面積が小さくなり、また経血に起因する色が薄くなり得る。従って、本発明の生理用吸収性物品の着用者がその使用後に該吸収性物品の表面シート側を目視したとき場合には、着用者に経血の吸収部の大きさについて比較的小さい印象を与えることができるため、漏れに対する不安感や視覚的な不快感を与え難い。つまり本発明の生理用吸収性物品は、使用後の見た目の安心感が高い。斯かる作用効果は、前記（Ａ）及び（Ｂ）の形態の何れにおいても奏される。
【００４６】
本発明の生理用吸収性物品において、前記血球凝集剤含有部材として典型的なものは吸収体である。図１及び図２に示すナプキン１であれば、吸収性シート４１，４２からなる吸収体４に血球凝集剤が含有されている形態が典型的な形態である。
【００４７】
前記血球凝集剤含有部材における血球凝集剤の存在位置は特に制限されず、血球凝集剤は前記血球凝集剤含有部材全体に均一に存在していても良く、あるいは前記血球凝集剤含有部材の一部に偏在していても良いが、血球凝集剤による前述した作用効果を考慮すると、前記血球凝集剤含有部材の厚み方向については、着用者の肌から最も近い部位である肌対向面側表層部に偏在していることが好ましい。尚、血球凝集剤が前記血球凝集剤含有部材の肌対向面側表層部に偏在している場合には、その反対側である非肌対向面側表層部には血球凝集剤は実質的に含有されていなくても良い。ここでいう「血球凝集剤含有部材の肌対向面側表層部」とは、血球凝集剤含有部材（例えば吸収体４）の肌対向面から厚み方向に該部材の最大厚みの５０％以内の領域を意味する。
【００４８】
例えば図１及び図２に示すナプキン１において、前記血球凝集剤含有部材が吸収性シート４１，４２の積層構造たる吸収体４である場合に、前記の「血球凝集剤が肌対向面側表層部に偏在している形態」の一例としては、折り畳み２層構造の本体吸収性シート４２における表面シート２から相対的に近い方の１層、即ち該積層構造における肌対向面側の最外層のみに血球凝集剤が含有され、他の層には血球凝集剤が含有されていないか、又は該肌対向面側の最外層よりも血球凝集剤の含有量が少ない形態が挙げられる。
【００４９】
また、前記血球凝集剤含有部材の面方向における血球凝集剤の存在位置についても特に制限されず、例えば図１及び図２に示すナプキン１において、前記血球凝集剤含有部材が吸収体４である場合には、血球凝集剤は吸収体４の肌対向面の全域に均一に存在していても良く、あるいは吸収体４の肌対向面の一部にのみ偏在していても良い。また、吸収体４の肌対向面側表層部に後述する吸収体スリット４３を形成する場合には、その吸収体スリット４３の形成位置にのみ選択的に血球凝集剤が存在していても良い。尤も、血球凝集剤
の役割を考慮すると、血球凝集剤は少なくとも経血等の排泄液が集中する排泄部対向部Ｂに存在していることが好ましい。
【００５０】
ところで、本実施形態においては、図１及び図２に示すように、吸収体４の肌対向面側表層部に、縦方向Ｘに延びる吸収体スリット４３が形成されている。吸収体スリット４３は、吸収体４に形成された切れ目であり、吸収体スリット４３の形成位置においては吸収体４の形成材料が切断され又は複数の形成材料が他の部位よりも相互に離れて分離されている。吸収体４にこのような吸収体スリット４３が形成されていることにより、表面シート２及びセカンドシート５を順次透過して吸収体４の肌対向面に到達した経血等の排泄液が、吸収体スリット４３に沿って縦方向Ｘに拡散され易くなると共に、吸収体４の厚み方向に浸透し易くなる。そして、斯かる吸収体スリット４３による作用効果と、前述した血球凝集剤及びトリアシルグリセロールによる作用効果とが相俟って、本発明の所定の効果がより一層確実に奏され得る。
【００５１】
吸収体４には、排泄部対向部Ｂを中心に、吸収体スリット４３が多数散在しているところ、各スリット４３について前記作用効果が期待できる。これら多数の吸収体スリット４３は、図１に示すように千鳥状に形成されている。即ち、吸収体４の肌対向面側表層部においては、複数の吸収体スリット４３が横方向Ｙに所定間隔を置いて直線的に列状に配置されてなるスリット列が、縦方向Ｘに複数列配置され、且つ横方向Ｙにおいて、隣在する該スリット列どうしで互いに吸収体スリット４３がずれている。
【００５２】
本実施形態における吸収体４は前述した通り、中央吸収性シート４１と本体吸収性シート４２とを含んで構成される積層構造を有しているところ、吸収体スリット４３は、該積層構造の少なくとも１層を厚み方向に貫通している。斯かる構成により、吸収体４の全体を経血の吸収に有効に活用することが可能となる。特に、ナプキン１の肌対向面に周知技術である防漏溝、即ち表面シート２、セカンドシート５及び吸収体４が一体的に凹陥してなる平面視線状の高密度部（図示せず）が形成されている場合、該防漏溝の外方に経血等の排泄液が移行し難いため、吸収体４における該防漏溝の外方に位置する部分は、液吸収に活用され難い傾向があるところ、吸収体スリット４３が前記積層構造の少なくとも１層を厚み方向に貫通していることにより、斯かる不都合が解消され得る。尚、防漏溝の平面視形状としては、排泄部対向部Ｂにおいて、横方向Ｙの外方へ向けて凸となる曲線形状を有するもの又は横方向Ｙの内側へ向けて凸となる曲線形状を有するものが好ましい。
【００５３】
また、吸収性シート４１，４２の積層構造に吸収体スリット４３が形成されている場合、前述した吸収体スリット４３による作用効果をより確実に奏させるようにする観点から、該吸収体スリット４３は、少なくとも該積層構造における肌対向面側の最表層を厚み方向に貫通していることが好ましい。図１及び図２に示すナプキン１の吸収体４においては、前述した折り畳み２層構造の本体吸収性シート４２における表面シート２から相対的に近い方の１層が、この「吸収性シートの積層構造における肌対向面側の最表層」に該当するので、吸収体スリット４３は少なくともこの本体吸収性シート４２の１層を厚み方向に貫通することが好ましい。
【００５４】
吸収性シート４１，４２の積層構造たる吸収体４においては、図２に示すように、吸収体スリット４３は、吸収体４全体を厚み方向に貫通してはいないが、肌対向面から非肌対向面にかけて吸収体４の厚み方向の略全長にわたって形成されている。吸収体スリット４３は吸収体４全体を厚み方向に貫通していても良い。また、図示の如く吸収体スリット４３が複数形成されている場合に、複数の吸収体スリット４３の深さは互いに同じでも良く、異なっていても構わない。
【００５５】
また、吸収体４が本実施形態の如き吸収性シートの積層構造から構成されていると、吸
収体４が吸収性材料を積繊してなる積繊体から構成されている場合に比して、該積層構造における層間においても経血等の排泄液が拡散し得るため、吸収体４の有効利用がより一層図られる。
【００５６】
また本実施形態においては、図２に示すように、吸収体スリット４３は、相対的に着用者の肌に近い部位の方が、相対的に着用者の肌から遠い部位に比して幅が広い（即ち横方向Ｙの長さが長い）。図２に示す形態における吸収体スリット４３は、吸収体４の肌対向面側から非肌対向面側に向かうに従って幅が漸次減少しており、吸収体４の肌対向面側の開口端部が最も幅広である。吸収体スリット４３がこのように形成されていることにより、表面シート２及びセカンドシート５を順次透過して吸収体４の肌対向面に到達した経血を、速やかに吸収体４の非肌対向面側に透過させることが可能となり、これにより、肌対向面側における経血の面方向の拡散を抑制しつつ、非肌対向面側で経血を面方向に拡散させることができ、使用後の見た目の安心感が一層向上し得る。
【００５７】
図１及び図２に示す如き、吸収体スリット４３が形成された吸収体４の肌対向面側表層部に血球凝集剤が含有されている場合、少なくとも吸収体スリット４３の形成位置に血球凝集剤が存在していることが好ましい。ここでいう「吸収体スリットの形成位置」とは、吸収体４における、空間部である吸収体スリット４３を画成する部分を意味し、より具体的には、吸収体スリット４３から２０ｍｍ以内の領域を意味する。吸収体スリット４３の形成位置に血球凝集剤が存在することにより、前述した両者の機能が相乗的に作用し、経血の吸収性能がより一層効果的に向上し得る。
【００５８】
吸収体スリット４３の形成は、公知の切断手段を用いて常法に従って行うことができる。例えば、吸収性シート４１，４２の積層構造たる吸収体４に吸収体スリット４３を形成する場合には、切断手段として、カッターロールと該カッターロールの切断刃を受けるアンビルロールとを備えた切断装置を用いることができる。このカッターロールの周面には、該ロールの周方向に延びる切断刃が、該ロールの軸長方向に間欠配置されているところ、斯かる切断刃の配置パターンは、吸収体４における吸収体スリット４３の配置パターンに対応する。
【００５９】
吸収体スリット４３による前述した作用効果をより確実に奏させるようにする観点から吸収体スリット４３の寸法等は下記のように設定することが好ましい。
吸収体４の肌対向面側の平面視において、吸収体スリット４３の幅（横方向Ｙの長さ）は、好ましくは０．１ｍｍ以上、さらに好ましくは０．２ｍｍ以上、そして、好ましくは１ｍｍ以下、さらに好ましくは０．８ｍｍ以下である。
吸収体４の肌対向面側の平面視において、吸収体スリット４３の縦方向Ｘの長さは、好ましくは１０ｍｍ以上、さらに好ましくは１５ｍｍ以上、そして、好ましくは３５ｍｍ以下、さらに好ましくは２５ｍｍ以下である。
横方向Ｙにおいて隣り合う吸収体スリット４３，４３の間隔は、好ましくは３ｍｍ以上、さらに好ましくは７ｍｍ以上、そして、好ましくは２０ｍｍ以下、さらに好ましくは１５ｍｍ以下である。
吸収体スリット４３の単位面積当たりの数は、該単位面積を一辺５ｃｍの平面視正方形形状の領域の面積とした場合に、好ましくは５本以上、さらに好ましくは１０本以上、そして、好ましくは２５本以下、さらに好ましくは２０本以下である。
【００６０】
本実施形態においては、図１及び図２に示すように、表面シート２に、該表面シート２を厚み方向に貫通して縦方向Ｘに延びる表面材スリット２３が形成されている。さらにはセカンドシート５にも、該セカンドシート５を厚み方向に貫通して縦方向Ｘに延びるスリットが形成されている。そして、表面材スリット２３、セカンドシート５のスリット及び吸収体スリット４３は平面視において互いに同位置に形成されており、これら各スリット
が一体となって、表面シート２の肌対向面に開口端部を有する１個のスリットを形成している。このようなスリットは、例えば、表面シート２、セカンドシート５及び吸収体４が積層された状態で、スリット形成手段としてのカッター刃などの切断手段を、表面シート２側から裏面シート３側に向けて押し込むことで形成することができる。表面材スリット２３が形成されていることで、経血等の排泄液の吸収性能がより一層向上し得る。尚、表面材スリット２３、セカンドシート５のスリット及び吸収体スリット４３は、図２に示すように平面視において同位置に形成されていなくても良く、相互に位置がずれていても良い。
【００６１】
本発明の生理用吸収性物品における血球凝集剤の存在位置については前述した通りである。即ち本発明の生理用吸収性物品において、前記血球凝集剤含有部材は典型的には吸収体であり、また血球凝集剤は、吸収体の肌対向面側表層部に存在することが好ましく、吸収体の肌対向面側表層部に偏在することがさらに好ましい。前記血球凝集剤含有部材（例えば吸収体４）における血球凝集剤の含有量は、好ましくは０．１ｇ／ｍ2以上、さらに
好ましくは０．５ｇ／ｍ2以上、より好ましくは１．５ｇ／ｍ2以上、そして、好ましくは２５ｇ／ｍ2以下、さらに好ましくは１５ｇ／ｍ2以下、より好ましくは１０ｇ／ｍ2以下
である。
【００６２】
一方、本発明の生理用吸収性物品におけるトリアシルグリセロールの存在位置については、前述した通り、吸収体に代表される前記血球凝集剤含有部材であっても良く、あるいは着用時に前記血球凝集剤含有部材よりも着用者の肌に近い位置に配され且つ血球凝集剤を含有しない他の構成部材であっても良い。この他の構成部材、即ち血球凝集剤を含有せずにトリアシルグリセロールを含有する吸収性物品の構成部材は、図１及び図２に示すナプキン１においては、表面シート２及び／又はセカンドシート５である。特に、セカンドシート５にトリアシルグリセロールが含有されていると、セカンドシート５による排泄液の透過が速やかになされるようになると共に、セカンドシート５が排泄液を一時的に貯蔵し得る貯蔵層として機能し得るようになるため、一度に多量の排泄液が排泄されても、セカンドシート５における排泄液の面方向への拡散が効果的に抑制され、排泄液が速やかに吸収体４に到達し得る。
【００６３】
前記他の構成部材（例えばセカンドシート５）におけるトリアシルグリセロールの含有量は、好ましくは０．５ｇ／ｍ2以上、さらに好ましくは３ｇ／ｍ2以上、より好ましくは５ｇ／ｍ2以上、そして、好ましくは２０ｇ／ｍ2以下、さらに好ましくは１５ｇ／ｍ2以
下、より好ましくは１０ｇ／ｍ2以下である。
【００６４】
また、吸収体に血球凝集剤及びトリアシルグリセロールの双方が含有されている場合、トリアシルグリセロールの存在位置は、該血球凝集剤の存在位置にかかわらず任意に選択することができ、例えば、吸収体全体に均一に存在していても良く、あるいは吸収体の一部に偏在していても良いが、トリアシルグリセロールによる前述した作用効果を考慮すると、血球凝集剤と同様に、吸収体において着用者の肌から最も近い部位である肌対向面側表層部に存在することが好ましく、該肌対向面側表層部に偏在することがさらに好ましい。
【００６５】
例えば図１及び図２に示すナプキン１において、吸収体４の肌対向面側表層部に血球凝集剤及びトリアシルグリセロールの双方が存在、より具体的には偏在していると、まず、該肌対向面側表層部にて血球凝集剤による経血の血漿等の液体成分と赤血球等の非液体成分とへの分離作用と、トリアシルグリセロールによる該非液体成分の分散作用が略同時に起こると推察されるが、該肌対向面側表層部では斯かる経血の分離は十分には行われず、厚み方向の液透過が面方向への液拡散に優先して行われるため、該肌対向面側表層部における経血の面方向への拡散は比較的小さいものとなる。そして、経血が吸収体４を厚み方
向に透過してその非肌対向面側表層部に到達すると、該非肌対向面側表層部では、肌対向面側表層部とは逆に、面方向への液拡散が厚み方向の液透過に優先して行われるため、経血において比較的流動性の高い血漿等の液体成分が、比較的流動性の低い赤血球等の非液体成分に優先して、面方向に拡散される。これにより吸収体４における経血の吸収部は、肌対向面側の方が非肌対向面側に比して面積が小さくなり、また経血に起因する色が薄くなり得るため、該経血の吸収部を見た者に対して、ナプキン１の使用後の見た目の安心感を与えることが可能となる。
【００６６】
本発明者の知見によれば、吸収体の肌対向面側表層部に血球凝集剤及びトリアシルグリセロールの双方が含有されている場合、トリアシルグリセロールの方が血球凝集剤よりも単位面積当たりの含有量が多い方が、経血の吸収性能の向上により効果的である。吸収体の肌対向面側表層部において、トリアシルグリセロールの単位面積当たりの含有量と血球凝集剤のそれとの差は、（トリアシルグリセロールの単位面積当たりの含有量）−（血球凝集剤の単位面積当たりの含有量）として、好ましくは３ｇ／ｍ2、さらに好ましくは８
ｇ／ｍ2である。
【００６７】
血球凝集剤及び／又はトリアシルグリセロールを生理用吸収性物品の構成部材に含有させる方法は特に制限されず、これらが含有される構成部材の種類、これらの構成部材における存在位置などに応じて、塗布、噴霧又は浸漬などの公知の液状物付与方法を適宜利用することができる。例えば血球凝集剤の場合、これを適当な溶媒に溶解又は分散させた血球凝集剤含有液を調製し、該血球凝集剤含有液を吸収性物品の所望の構成部材に塗布、噴霧又は浸漬する方法が挙げられる。
【００６８】
以下、本発明で用いる血球凝集剤について説明する。本発明で用いる血球凝集剤とは、血液中の赤血球を凝集させ、血球が凝集した凝集塊と血漿成分が分離されるよう作用するものである。
【００６９】
望ましい血球凝集剤としては、例えば以下の性質を有するものが挙げられる。
即ち、擬似血液に、測定サンプル剤を１０００ｐｐｍ添加した際に、血液の流動性が維持された状態で、少なくとも２個以上の赤血球が凝集して凝集塊を形成するものである。
前記擬似血液は、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように、脱繊維馬血（株式会社日本バイオテスト研究所製）の血球・血漿比率を調製したものである。
【００７０】
ここで、「血液の流動性が維持された状態」とは、測定サンプル剤が１０００ｐｐｍ添加された前記擬似血液１０ｇをスクリュー管瓶（マルエム社製  品番「スクリュー管Ｎｏ．４」，口内径１４．５ｍｍ，胴径２７ｍｍ，全長５５ｍｍ）に入れ、該擬似血液を入れたスクリュー管瓶を１８０度反転した際に、２０秒以内で６０％以上の体積の該擬似経血が流れ落ちる状態を意味する。
また、「２個以上の赤血球が凝集して凝集塊を形成」しているか否かは、次のようにして判断される。即ち、測定サンプル剤が１０００ｐｐｍ添加された前記擬似血液を、生理食塩水で４０００倍に希釈し、レーザー回折／散乱式粒度分布測定装置（ＨＯＲＩＢＡ社製  型番：ＬＡ−９５０Ｖ２，測定条件：フロー式セル測定，循環速度１，超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」を形成していると判断する。
【００７１】
本発明で用いる血球凝集剤は、前記定義に当てはまる化合物又はその組み合わせ、さらには化合物の組み合わせによって前記定義を満たす（赤血球の凝集を発現し得る）剤であ
る。つまり、血球凝集剤とは、あくまで前記定義によるところの血球凝集作用があるものに限定した剤のことである。従って、血球凝集剤に、前記定義に当てはまらない第三成分を含む場合には、それを血球凝集剤組成物と表現し、血球凝集剤と区別する。
【００７２】
本発明で用いる血球凝集剤としては、カチオン性ポリマーが好適である。カチオン性ポリマーとしては、例えばカチオン化セルロースや、塩化ヒドロキシプロピルトリモニウムデンプン等のカチオン化デンプンなどが挙げられる。また、本発明で用いる血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。
【００７３】
本発明で用いる血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいても良く、あるいは任意の２種以上の組み合わせを含んでいても良い。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。さらに同様に、第４級アンモニウム塩重縮合物は、１種を単独で又は２種以上を組み合わせて用いることができる。
【００７４】
前述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００７５】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。即ち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でも良く、交互共重合物でも良く、ブロック共重合物でも良く、あるいはグラフト共重合物でも良い。第４級アンモニウム塩重縮合物は、第４級アンモニウム部位を有する単量体１種以上からなる縮合物を用い、それら縮合物を重合することで得られたものである。即ち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００７６】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジメチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００７７】
赤血球の凝集塊を効果的に生成させる観点から、カチオン性ポリマーは、その分子量が２０００以上であることが好ましく、１万以上であることがさらに好ましく、３万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は１０００万以下であることが好ましく、５００万以下であることがさらに好ましく、３００万以下であることが一層好ましい。カチオン性ポリマーの分子量がこれらの値以下であることによって、カチオン性ポリマーが経血中へ良好に溶解する。カチオン性ポリマーの分子量は、２０００以上１０００万以下であることが好ましく、２０００以上５００万以下であることがさらに好ましく、２０００以上３００万以下であることが一層好ましく、１万以上３００万以下であることがさらに一層好ましく、３万以上３００万以下であることが特に好ましい。本発明に言う分子量とは、重量平均分子量のことである。また、前述の分子量範囲内で、異なる分子量のカチオン性ポリマーを２種以上組み合わせても良い。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次の通りである。
【００７８】
カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万の
ＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００７９】
赤血球の凝集塊を一層効果的に生成させる観点から、カチオン性ポリマーとして第４級アンモニウム塩ポリマーを用いる場合、該第４級アンモニウム塩ポリマーは、その流動電位が１５００μｅｑ／Ｌ以上であることが好ましく、２０００μｅｑ／Ｌ以上であることがさらに好ましく、３０００μｅｑ／Ｌ以上であることが一層好ましく、４０００μｅｑ／Ｌ以上であることがさらに一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることがさらに好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。第４級アンモニウム塩ポリマーの流動電位は、１５００μｅｑ／Ｌ以上１３０００μｅｑ／Ｌ以下であることが好ましく、２０００μｅｑ／Ｌ以上１３０００μｅｑ／Ｌ以下であることがさらに好ましく、３０００μｅｑ／Ｌ以上８０００μｅｑ／Ｌ以下であることが一層好ましく、４０００μｅｑ／Ｌ以上６０００μｅｑ／Ｌ以下であることがさらに一層好ましい。
【００８０】
第４級アンモニウム塩ポリマーの流動電位は、例えば構成しているカチオン性モノマー自体の分子量、共重合体を構成しているカチオン性モノマーとアニオン性モノマー又はノニオン性モノマーの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次の通りである。まず市販のナプキンに対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、下記式１により第４級アンモニウム塩ポリマーの流動電位を算出する。
流動電位  ＝  （Ｘ＋０．１９０※）×１０００  ・・・  式１
（※ 溶媒の生理食塩水に要した滴定量）
【００８１】
カチオン性ポリマーが、赤血球の表面に首尾よく吸着するためには、該カチオン性ポリマーが、赤血球の表面に存在しているシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。
【００８２】
一般に、物質の性状は、分子間の各種分子間力に大きく支配され、この分子間力は主に分子質量によるVan Der Waals力と、分子の極性による電気的親和力からなっている。物
質の性質の変化に対して大きな影響を与えるVan Der Waals力と、電気的親和力のそれぞ
れを個別に把握することができれば、その組み合わせから未知の物質、あるいはそれらの混合物についてもその性状を予測することができる。この考え方は、「有機概念図論」として良く知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、
藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による
物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００８３】
【表１】
0006714435.tif 000002
【００８４】
具体的には、カチオン性ポリマーがホモポリマーである場合、該ホモポリマーの繰り返し単位に基づき無機性値及び有機性値を決定し、ＩＯＢ値を算出する。例えば後述する実施例１で用いているカチオン性ポリマーであるポリジアリルジメチルアンモニウムクロライド（日本ルーブリゾール社製の商品名「マーコート１０６」）の場合、−Ｃ−×８＝１６０の有機性値と、Ammo and NH4 salt×１＝４００の無機性値と、Ring(non-aromatic single ring)×１＝１０の無機性値と、−Ｃｌ×１＝４０の有機性値及び１０の無機性値
とを有することから、無機性値の合計は４００＋１０＋１０＝４２０となり、有機性値の合計は１６０＋４０＝２００となる。したがってＩＯＢ値は４２０／２００＝２．１０となる。
【００８５】
一方、カチオン性ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の式から算出される。
【００８６】
【数１】
0006714435.tif 000003
【００８７】
このようにして決定されたカチオン性ポリマーのＩＯＢ値は、０．６以上であることが好ましく、１．８以上であることがより好ましく、２．１以上であることがさらに好ましく、２．２以上であることが一層好ましい。また、カチオン性ポリマーのＩＯＢ値は、４．６以下であることが好ましく、３．６以下であることがさらに好ましく、３．０以下であることが一層好ましい。具体的には、カチオン性ポリマーのＩＯＢ値は、０．６以上４．６以下であることが好ましく、１．８以上３．６以下であることがより好ましく、２．１以上３．６以下であることがさらに好ましく、２．２以上３．０以下であることが一層好ましい。なお、シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００８８】
カチオン性ポリマーのＩＯＢ値は前述の通りであるところ、有機性値そのものは４０以上であることが好ましく、１００以上であることがさらに好ましく、１３０以上であることが一層好ましい。また、３１０以下であることが好ましく、２５０以下であることがより好ましく、２４０以下であることがさらに好ましく、１９０以下であることが一層好ましい。例えば有機性値は、４０以上３１０以下であることが好ましく、４０以上２５０以下であることがより好ましく、１００以上２４０以下であることがさらに好ましく、１３０以上１９０以下であることが一層好ましい。カチオン性ポリマーの有機性値をこの範囲に設定することで、該カチオン性ポリマーが赤血球に一層首尾よく吸着するようになる。
【００８９】
一方、カチオン性ポリマーの無機性値に関しては、７０以上であることが好ましく、９０以上であることがさらに好ましく、１００以上であることが一層好ましく、１２０以上であることがさらに一層好ましく、２５０以上であることが特に好ましい。また、７９０以下であることが好ましく、７５０以下であることがさらに好ましく、７００以下であることが一層好ましく、６８０以下であることがさらに一層好ましく、４９０以下であることが特に好ましい。例えば無機性値は、７０以上７９０以下であることが好ましく、９０以上７５０以下であることがさらに好ましく、９０以上６８０以下であることが一層好ましく、１２０以上６８０以下であることがさらに一層好ましく、２５０以上４９０以下であることが特に好ましい。カチオン性ポリマーの無機性値をこの範囲に設定することで、該カチオン性ポリマーが赤血球に一層首尾よく吸着するようになる。
【００９０】
カチオン性ポリマーを赤血球にさらに一層首尾よく吸着させる観点から、該カチオン性ポリマーの有機性値をｘとし、無機性値をｙとしたとき、ｘとｙが以下の式Ａを満たすことが好ましい。
ｙ＝ａｘ    （Ａ）
前記式Ａ中、ａは０．６６以上であることが好ましく、０．９３以上であることがさら
に好ましく、１．９６以上であることが一層好ましい。また、ａは、４．５６以下あることが好ましく、４．１９以下であることがさらに好ましく、３．５以下であることが一層好ましい。例えばａは、０．６６以上４．５６以下の数であることが好ましく、０．９３以上４．１９以下の数であることがさらに好ましく、１．９６以上３．５以下の数であることが一層好ましい。特に、カチオン性ポリマーの有機性値及び無機性値が前述の範囲内であることを条件として、該カチオン性ポリマーの有機性値及び無機性値が前記式Ａを満たす場合には、該カチオン性ポリマーがシアル酸結合体と相互作用しやすくなり、該カチオン性ポリマーが赤血球にさらに一層吸着しやすくなる。
【００９１】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状又は厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。尚、本発明において、さらに好ましい溶解性としては、全量が３時間以内に水に溶解することが好ましく、全量が３０分以内に水に溶解することがさらに好ましい。
【００９２】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００９３】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることがさらに好ましく、６以上であることが一層好ましい。炭素数の上限値は、１０以下であることが好ましく、９以下であることがさらに好ましく、８以下であることが一層好ましい。例えば側鎖の炭素数は４以上１０以下であることが好ましく、５以上９以下であることがさらに好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が前述の範囲であることが、第４級アンモニウム塩ポリマーが赤血球の表面の表面に吸着するときの立体障害性が低くなるので好ましい。
【００９４】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、前述し
た通りである。
【００９５】
特に第４級アンモニウム塩ホモポリマーは、以下の式１で表される繰り返し単位を有することが好ましい。
【００９６】
【化１】
0006714435.tif 000004
【００９７】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００９８】
第４級アンモニウム塩ポリマーが、第４級アンモニウム塩共重合物である場合には、該共重合物として、前述した第４級アンモニウム塩ホモポリマーの重合に用いられる重合性単量体を２種以上用い共重合して得られた共重合物を用いることができる。あるいは、第４級アンモニウム塩共重合物として、前述した第４級アンモニウム塩ホモポリマーの重合に用いられる重合性単量体を１種以上と、第４級アンモニウム部位を有さない重合性単量体を１種以上用い共重合して得られた共重合物を用いることができる。さらに、ビニル系重合性単量体に加えて、又はそれに代えて、他の重合性単量体、例えば−ＳＯ2−などを
用いることもできる。第４級アンモニウム塩共重合物は、前述した通り、二元系の共重合物又は三元系以上の共重合物であり得る。
【００９９】
特に、第４級アンモニウム塩共重合物は、前記の式１で表される繰り返し単位と、以下の式２で表される繰り返し単位とを有することが、赤血球の凝集塊を効果的に生成させる観点から好ましい。
【０１００】
【化２】
0006714435.tif 000005
【０１０１】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、前述の通り１０００万以下であることが好ましく、特に５００万以下、とりわけ３００万以下であ
ることが好ましい（以下に例示する第４級アンモニウム塩共重合物についても同様である。）。
【０１０２】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ2、−Ｃ
ＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【０１０３】
第４級アンモニウム部位を有さない重合性単量体として、疎水性相互作用をすることが可能な官能基を有する重合性単量体を用いることもできる。このような重合性単量体を共重合に用いることで、前述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【０１０４】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。あるいは、第４級アンモニウム塩共重合物の流動電位が、前述した値となるように調整されることが好ましい。あるいは、第４級アンモニウム塩共重合物のＩＯＢが、前述した値となるように調整されることが好ましい。特に、第４級アンモニウム塩共重合物における第４級アンモニウム部位を有する重合性単量体のモル比は１０モル％以上であることが好ましく、２２モル％以上であることがさらに好ましく、３２モル％以上であることが一層好ましく、３８モル％以上であることがさらに一層好ましい。また、１００モル％以下であることが好ましく、８０モル％以下であることがさらに好ましく、６５モル％以下であることが一層好ましく、５６モル％以下であることがさらに一層好ましい。具体的には、第４級アンモニウム部位を有する重合性単量体のモル比は１０モル％以上１００モル％以下であることが好ましく、２２モル％以上８０モル％以下であることがさらに好ましく、３２モル％以上６５モル％以下であることがさらに好ましく、３８モル％以上５６モル％以下であることが一層好ましい。
【０１０５】
第４級アンモニウム塩ポリマーが、第４級アンモニウム塩重縮合物である場合には、該
重縮合物として、前述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【０１０６】
前述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すれば良い。
【０１０７】
また、本発明で用いる血球凝集剤は、ポリカチオン（カチオン性ポリマー）以外に、第三成分、例えば、溶媒、可塑剤、香料、抗菌・消臭剤、スキンケア剤等の他の成分を１種以上含んだ組成物（血球凝集剤組成物）の形態で付与されていても良い。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。スキンケア剤としては、特許第４０８４２７８号公報に記載されている植物エキス、コラーゲン、天然保湿成分、保湿剤、角質柔軟化剤、消炎剤などを用いることができる。
【０１０８】
前記血球凝集剤組成物に占めるカチオン性ポリマーの割合は、１質量％以上であることが好ましく、３質量％以上であることがさらに好ましく、５質量％以上であることが一層好ましい。また、５０質量％以下であることが好ましく、３０質量％以下であることがさらに好ましく、１０質量％以下であることが一層好ましい。前記血球凝集剤組成物に占めるカチオン性ポリマーの割合をこの範囲内に設定することで、吸収性物品に有効量のカチオン性ポリマーを付与することができる。
【０１０９】
以下、本発明で用いるトリアシルグリセロールについて説明する。本発明で用いるトリアシルグリセロールとしては、血液改質作用、具体的には界面活性作用を有し、且つ経血との親和性が低い性質を有するものを用いることができ、そのような血液改質作用を有するトリアシルグリセロールの１種を単独で又は２種以上を組み合わせて用いることができる。血液改質作用を有するトリアシルグリセロールの中でも特に、炭素数８〜２０の脂肪酸とグリセリンとのトリエステルは、経血との親和性が低いため本発明で好ましく用いられる。本発明で使用可能な市販のトリアシルグリセロールとしては、例えば、日油株式会社製の商品名「パナセート８１０Ｓ」が挙げられる。
【０１１０】
以上、本発明について説明したが、本発明は前述した実施形態に制限されず、本発明の趣旨を逸脱しない範囲で適宜変更可能である。例えば、前記実施形態においては、吸収体が吸収性シートのみから構成されていたが、吸収性材料を積繊してなる積繊体のみから構成されていても良く、両者を含んで構成されていても良い。また、吸収体における吸収性シートの多層構造は、前記実施形態のように、１枚の吸収性シートが折り重ねられて形成された構成でも良く、あるいは複数枚の吸収性シートを折り畳まずに積層した構成でも良
く、あるいは両構成を複合した構成でも良い。また吸収体が、高吸収性ポリマー、親水性繊維等の吸収性材料を含む吸収性コアと、該吸収性コアを被覆する液透過性のコアラップシートとを含んで構成される場合、該吸収性コアが血球凝集剤及びトリアシルグリセロールの両方を含有する形態としても良く、あるいは、該吸収性コアが血球凝集剤を含有し、該コアラップシートがトリアシルグリセロールを含有する形態としても良い。
【０１１１】
本発明は、経血の吸収に用いられる物品全般に適用することができる。そのような物品の例としては、前記実施形態の如き生理用ナプキンの他に、パンティライナ及びタンポン等が挙げられるが、それらに限られない。
【０１１２】
〔実施例〕
以下、本発明を実施例によりさらに具体的に説明するが、本発明は斯かる実施例に限定されるものではない。
【０１１３】
〔実施例１〕
図１及び図２に示す生理用ナプキン１と同様の基本構成を有する生理用ナプキンを作製し、これを実施例１のサンプルとした。表面シート及びセカンドシートとしては、後述する方法で作製したものを用い、両シートどうしを、スプレーガンを用いてスパイラル状に坪量３ｇ／ｍ2で塗工されたＳＥＢＭ系ホットメルト接着剤で接着した。裏面シートとし
ては、透湿性の樹脂フィルムを用いた。
吸収体として吸収性シートの折り畳み多層構造を用い、該吸収性シートは特許第２９６３６４７号公報記載の方法に準じて作製した。作製した吸収性シートは１枚につき、木材パルプの含有量６０質量％、高吸収性ポリマーの含有量４０質量％、坪量７５ｇ／ｍ2、
無荷重下における厚み０．５ｍｍであった。高吸収性ポリマーとしては、日本触媒社製のアクアリックＣＡを用いた。
吸収体の肌対向面側表層部の全域に血球凝集剤及びトリアシルグリセロールをそれぞれ塗布した。より具体的には図２を参照して、折り畳み２層構造の本体吸収性シート４２における表面シート２から相対的に近い方の１層の全体に対して、市販の血球凝集剤の５％水溶液を塗布し乾燥すると共に、該血球凝集剤の塗布部分に重ねて市販のトリアシルグリセロールを原液のまま塗布し乾燥した。血球凝集剤の塗布量は固形分換算で１．５ｇ／ｍ2、トリアシルグリセロールの塗布量は固形分換算で５ｇ／ｍ2であった。血球凝集剤としては、日本ルーブリゾール社製の商品名「マーコート１０６」（カチオン性ポリマー、重量平均分子量：１．５万、ＩＯＢ値２．１０、流動電位７３４５μｅｑ／Ｌ）を用い、トリアシルグリセロールとしては、日油株式会社製の商品名「パナセート８１０Ｓ」を用いた。
血球凝集剤及びトリアシルグリセロールが塗布された吸収体の肌対向面側に、図１に示すパターンで吸収体スリットを形成した。より具体的には、表面シート、セカンドシート及び吸収体が積層された状態で、カッター刃を表面シート側から裏面シート側に向けて押し込むことでこれらに一体的な切れ目を入れて、図２に示す如きスリット、即ち表面材スリット、セカンドシートスリット及び吸収体スリットを形成した。こうして形成された吸収体スリットは、吸収体の肌対向面から非肌対向面の近傍にかけて該吸収体の厚み方向の略全長にわたるものであった。表面材スリット、セカンドシートスリット及び吸収体スリットは何れも、横方向長さ即ち幅０．５ｍｍ、縦方向長さ２０ｍｍ、横方向において隣り合う吸収体スリットの間隔１４ｍｍ、５ｃｍ四方の単位面積当たりの数１１本であった。
【０１１４】
（表面シートの作製）
繊維径４．０ｄｔｅｘ伸長率６％の芯鞘型の熱伸長性複合繊維（芯がポリプロピレン、鞘がポリエチレン）と、３．３ｄｔｅｘの非伸長の芯鞘型複合繊維（芯がポリエチレンテレフタレート、鞘がポリエチレン）とを、それぞれ５０質量％ずつの比率でカード機に通してウエブとし、該ウエブを、ヒートエンボス装置に導入して、該ウエブに線状の窪み部
２０（第１線状の窪み部２０ａ及び第２線状の窪み部２０ｂ）を複数本形成した。次いで、そのウエブを、熱風吹き付け装置に導入し、エアスルー加工による熱風処理を行い、線状の窪み部２０によって区画化された区画領域２２を有する表面シートを得た。得られた表面シートの線状の窪み部２０の形成パターンは、図３に示すパターンであり、第１及び第２線状の窪み部２０ａ，２０ｂそれぞれの幅は０．５ｍｍ、第１線状の窪み部２０ａどうし間の間隔及び第２線状の窪み部２０ｂどうし間の間隔は６ｍｍ、第１線状の窪み部２０ａと第２線状の窪み部２０ｂとのなす角は５６°であった。尚、得られた表面シートの坪量は２５ｇ／ｍ2であった。
【０１１５】
（セカンドシートの作製）
繊維径２．２ｄｔｅｘのポリエチレン／ポリエチレンテレフタレートの複合樹脂からなる合成繊維をカード機に通してウエブとし、該ウエブを、熱風吹き付け装置に導入し、エアスルー加工による熱風処理を行い、その後ロールエンボスしてセカンドシートを得た。得られたセカンドシートは、その厚みが０．３ｍｍ、坪量は２５ｇ／ｍ2であった。
【０１１６】
〔参考例〕
吸収体にトリアシルグリセロールを塗布しなかった以外は、実施例１と同様にして生理用ナプキンを作製し、これを参考例のサンプルとした。
【０１１７】
〔比較例１〕
吸収体に血球凝集剤を塗布しなかった以外は、実施例１と同様にして生理用ナプキンを作製し、これを比較例１のサンプルとした。
【０１１８】
〔比較例２〕
吸収体に血球凝集剤及びトリアシルグリセロールの何れも塗布しなかった以外は、実施例１と同様にして生理用ナプキンを作製し、これを比較例２のサンプルとした。
【０１１９】
〔評価試験〕
各実施例及び比較例並びに参考例の生理用ナプキンについて、下記方法により静的吸収時間を評価した。その結果を下記表２に示す。
【０１２０】
＜静的吸収時間＞
評価対象のサンプルを広げて実験台に置き、該サンプルの上に、直径１ｃｍの注入孔を有する筒高さ５０ｍｍのアクリル製注入円筒部が一体成形されたアクリル製注液プレートを、その注液孔が該サンプルの肌対向面（表面シート側）における排泄部対向部の中央に位置するように重ねて置き、適当な重り板を乗せて（注液プレート自身を含む）荷重が０．８５ｇ／ｃｍ2となるよう調整した。脱繊維馬血３ｇを前記注液プレートの筒内に３分
間隔で９ｇまで注入し、９ｇまで注入し終わった瞬間から、筒内の脱繊維馬血が無くなってサンプルの表面シートが露出するまでの時間（秒）を計測した。ここで使用した脱繊維馬血は前記擬似血液と同じである。各サンプルについて３回計測を行い、その平均値を当該サンプルの静的吸収時間とした。静的吸収時間が短いほど、経血の吸収性能に優れ高評価となる。
【０１２１】
【表２】
0006714435.tif 000006
【０１２２】
表２に示す通り、静的吸収時間が最も短かったのは実施例１であり、即ち経血の吸収性能に最も優れていたのは実施例１であった。実施例１と他の例との対比から、経血の吸収性能の向上を図るためには、血球凝集剤及びトリアシルグリセロールの両方を吸収体に含有させることが有効であることがわかる。
【符号の説明】
【０１２３】
１  生理用ナプキン（生理用吸収性物品）
２  表面シート
２０，２０ａ，２０ｂ  窪み部
２１  凸部
２２  区画領域
２３  表面材スリット
３  裏面シート
４  吸収体
４１  中央吸収性シート
４２  本体吸収性シート
４３  吸収体スリット
５  セカンドシート
６  サイドシート
１０  吸収性本体
１１  経血
１２  液体成分
１３  非液体成分
１４  高吸収性ポリマー
１５  被膜
１６  凝集塊
【図１】
0006714435.tif 000007
【図２】
0006714435.tif 000008
【図３】
0006714435.tif 000009
【図４】
0006714435.tif 000010
【図５】
0006714435.tif 000011